(57)【要約】【課題】荷重入力時の背凭れの上部側の振れを抑制しつつ、背凭れの着座感やデザイン性を主眼とした設計の自由度を高めることができる組み合わせ什器を提供する。【解決手段】天板付き什器１０と椅子２０とは、それぞれ個別に施設内のフロア部に設置する。椅子２０の背凭れ２３は、フロア部に固定された支持アーム２１に下部を支持させる一方で、上部を後方側の天板付き什器１０に取り付ける。【選択図】図１
2015229079.tif 000002
【特許請求の範囲】
【請求項１】
脚部材に支持された天板を有する天板付き什器と、該天板付き什器の天板の後方に設置される椅子を備え、
前記天板付き什器と前記椅子が組を成し、当該天板付き什器と椅子の組が前後方向に複数配列されて使用される組み合わせ什器において、
前記天板付き什器と前記椅子とは、それぞれ個別に施設内のフロア部に設置され、
前記椅子は、利用者の背部を支持する背凭れを有し、
前記背凭れは、前記フロア部に固定された脚部に下部を支持されるとともに、上部が後方側の前記天板付き什器に取り付けられていることを特徴とする組み合わせ什器。
【請求項２】
前記フロア部は階段状の段床によって構成され、
前記天板付き什器と、当該天板付き什器の前方の前記椅子とは、後方側の前記天板付き什器が階段状の段床の高位部に設置されるとともに、前方側の前記椅子が前記段床の前記高位部よりも低い低位部に設置され、
前記椅子の背凭れは、後方の前記天板付き什器との間に足除け空間を確保するように、利用者の腰部に対応する箇所に前方に湾曲する湾曲部が設けられていることを特徴とする請求項１に記載の組み合わせ什器。
【請求項３】
前記背凭れは、通気性を有する張り材から成る背受け部材を備えていることを特徴とする請求項２に記載の組み合わせ什器。
【請求項４】
前記背凭れは、下部側の左右両側部が前記脚部に支持されるとともに、上部側の左右方向の略中央部が後方側の前記天板付き什器に取り付けられていることを特徴とする請求項１〜３のいずれか１項に記載の組み合わせ什器。
【請求項５】
前記天板付き什器は、前記天板の前部下方を覆う幕板を備え、
前記背凭れの上部は、後方側の前記天板付き什器の前記幕板に取り付けられていることを特徴とする請求項１〜４のいずれか１項に記載の組み合わせ什器。
【請求項６】
前記背凭れは、弾性を有する張り材から成る背受け部材を備えていることを特徴とする請求項１〜５のいずれか１項に記載の組み合わせ什器。
【発明の詳細な説明】
【技術分野】
【０００１】
この発明は、テーブル等の天板付き什器と椅子を備えた組み合わせ什器に関するものである。
【背景技術】
【０００２】
教室や講演会場、競技場等の施設においては、脚部材に支持された天板を備えた長テーブル等の天板付き什器と、その天板付き什器を利用する作業者が着座する椅子とが組となった組み合わせ什器が使用される（例えば、特許文献１，２参照）。
【０００３】
特許文献１に記載の組み合わせ什器は、組を成す天板付き什器と椅子が施設内のフロア部に前後方向に複数配列されるものであり、天板付き什器と椅子はそれぞれ個別にフロア上に設置されている。
【０００４】
一方、特許文献２に記載の組み合わせ什器は、天板付き什器の前面に前席側の椅子が一体に取り付けられ、この天板付き什器と椅子が一体化されたユニットが施設内のフロア部に前後方向に複数配列されている。
【０００５】
これらの組み合わせ什器は、天板付き什器と椅子が前後方向に規則正しく複数配列されるため、施設内に多人数の利用者を効率良く収容することができる。
【先行技術文献】
【特許文献】
【０００６】
【特許文献１】特許第５０９００９０号公報
【特許文献２】特許第５３７８６８９号公報
【発明の概要】
【発明が解決しようとする課題】
【０００７】
しかしなから、特許文献１に記載の組み合わせ什器は、天板付き什器と椅子がそれぞれ個別に施設内のフロア部に設置されているため、後席に着座した利用者の足先が前席の椅子の背凭れに触れることがあると、その背凭れの上部側が大きく振れて前席に着座している利用者に不快感を与えることが懸念される。
【０００８】
一方、特許文献２に記載の組み合わせ什器は、天板付き什器の前面に前席側の椅子がユニットとして一体に取り付けられているため、後席の椅子に着座した利用者の足先が前方の椅子の背凭れに触れることがあっても、背凭れの上部側は大きく振れにくい。しかし、この組み合わせ什器の場合、前席側の椅子が後部の天板付き什器の前面側に吊り下げられたたかちで支持されるため、背凭れの全域の剛性を高くする必要があり、その結果、着座感やデザイン性を主眼とした設計の自由度が低くなる。
【０００９】
そこでこの発明は、荷重入力時の背凭れの上部側の振れを抑制しつつ、背凭れの着座感やデザイン性を主眼とした設計の自由度を高めることができる組み合わせ什器を提供しようとするものである。
【課題を解決するための手段】
【００１０】
この発明に係る組み合わせ什器は、上記課題を解決するために、脚部材に支持された天板を有する天板付き什器と、該天板付き什器の天板の後方に設置される椅子を備え、前記天板付き什器と前記椅子が組を成し、当該天板付き什器と椅子の組が前後方向に複数配列されて使用される組み合わせ什器において、前記天板付き什器と前記椅子とは、それぞれ個別に施設内のフロア部に設置され、前記椅子は、利用者の背部を支持する背凭れを有し、前記背凭れは、前記フロア部に固定された脚部に下部を支持されるとともに、上部が後方側の前記天板付き什器に取り付けられるようにした。
【００１１】
この場合、椅子の背凭れは、フロア部に固定された脚部に下部を支持されるとともに、上部が後方側の天板付き什器に取り付けられるため、後方の椅子に着座した利用者の足先が背凭れに触れることがあっても、背凭れの上部が大きく振れることがなくなる。また、椅子の背凭れは、後部の天板付き什器とは別に脚部によってフロア部に設置され、後部の天板付き什器に吊り下げ支持される構造をとらないため、着座感やデザイン性を主眼とした設計を行い易くなる。
【００１２】
前記フロア部は階段状の段床によって構成され、前記天板付き什器と、当該天板付き什器の前方の前記椅子とは、後方側の前記天板付き什器が階段状の段床の高位部に設置されるとともに、前方側の前記椅子が前記段床の前記高位部よりも低い低位部に設置され、前記椅子の背凭れは、後方の前記天板付き什器との間に足除け空間を確保するように、利用者の腰部に対応する箇所に前方に湾曲する湾曲部が設けられるようにしても良い。
この場合、後方側の天板付き什器が段床の高位部に設置され、前方側の椅子が段床の低位部に設置されると、後方側の椅子に着座した利用者の足先が、天板付き什器の下部空間を通して前方側の椅子の背凭れ部に触れる可能性が考えられる。しかし、椅子の背凭れには、後方の天板付き什器との間に足除け空間を確保するように湾曲部が設けられているため、後席に着座した利用者の足先が背凭れに接触する可能性はより低くなる。
【００１３】
前記背凭れは、通気性を有する張り材から成る背受け部材を備えるようにしても良い。
この場合、椅子に着座した利用者の腰部及び背部には、背凭れの湾曲部と後方の天板付き什器の間の足除け空間から通気性を有する背受け部材を通して空気が良好に流通するようになる。したがって、これにより空調の効率化が図られるとともに、椅子に着座する利用者の腰部及び背部の蒸れが防止される。
【００１４】
前記背凭れは、下部側の左右両側部が前記脚部に支持されるとともに、上部側の左右方向の略中央部が後方側の前記天板付き什器に取り付けられることが望ましい。
この場合、背凭れの下部側の左右両側部が脚部に支持され、上部の略中央部が後方の天板付き什器に取り付けられるため、背凭れを上下と左右でバランス良く固定構造物に支持させることができる。したがって、後席側から背凭れに荷重の入力があっても、その荷重をバランス良く固定構造物に分散させることができる。
【００１５】
前記天板付き什器は、前記天板の前部下方を覆う幕板を備え、前記背凭れの上部は、後方側の前記天板付き什器の前記幕板に取り付けられるようにしても良い。
この場合、背凭れの上部が幕板の広い面で安定的に支持されるようになるとともに、天板の前部下方が幕板で覆われることから、後席に着座した利用者の足先が背凭れに接触するのを幕板によって物理的に遮断することができる。
【００１６】
前記背凭れは、弾性を有する張り材から成る背受け部材を備えるようにしても良い。
この場合、背凭れに後方から荷重が入力されることがあっても、着座者が弾性を有する背受け部材によって支持されることから、荷重入力に伴う衝撃が着座者に伝達されにくくなる。
【発明の効果】
【００１７】
この発明によれば、椅子の背凭れが、フロア部に固定された脚部に下部を支持されるとともに、上部が後方側の天板付き什器に取り付けられることから、後席側から背凭れに荷重の入力があっても背凭れの上部側の振れを抑制することができ、しかも、椅子の背凭れが後部の天板付き什器とは別に脚部によってフロア部に設置されることから、背凭れの着座感やデザイン性を主眼とした設計の自由度を高めることができる。
【図面の簡単な説明】
【００１８】
【図１】この発明の一実施形態の組み合わせ什器を設置した施設内の側面図である。
【図２】この発明の一実施形態の組み合わせ什器を設置した施設内の上面図である。
【図３】この発明の一実施形態の組み合わせ什器を設置した施設内の正面図である。
【図４】この発明の一実施形態の組み合わせ什器を設置した施設内の斜視図である。
【図５】この発明の一実施形態の組み合わせ什器の斜視図である。
【図６】この発明の一実施形態の組み合わせ什器の図５のＶＩ−ＶＩ断面に対応する断面図である。
【図７】この発明の一実施形態の組み合わせ什器を設置した施設内の側面図である。
【発明を実施するための形態】
【００１９】
以下、この発明の一実施形態を図面に基づいて説明する。
この実施形態に係る組み合わせ什器は、使用者二人が左右に並んで利用可能な天板付き什器１０と、天板付き什器１０の後方側に設置される二つの椅子２０，２０と、を備えている。
この実施形態の場合、天板付き什器１０と椅子２０，２０の組は、競技場の階段状の段床１に、前後と左右に並んで複数設置されている。競技場の段床１は、観戦方向に向かって次第に低位となるように形成されており、天板付き什器１０…は、その段床１の傾斜に沿って前後方向に直線的に並んで設置されている。前後に並ぶ各天板付き什器１０は、段床１の高さの異なる各段に設置されている。
【００２０】
こうして直線的に前後に並んだ天板付き什器１０…の列の左右両側には、施設内の階段通路２が配置されている。施設内には、段床１の傾斜に沿う階段通路２が複数略平行に設けられている。
なお、以下においては、特別に断らない限り、施設内の競技観戦方向を「前」と呼び、その反対側を「後」と呼ぶものとする。図中矢印ＦＲは、施設内の前方を指すものとする。
【００２１】
天板付き什器１０は、段床１の水平面１ａに固定設置される脚部材１１と、脚部材１１の上端部に略水平に取り付けられる天板１２と、脚部材１１と天板１２に取り付けられて天板１２の前部を前方側から遮蔽する幕板１３と、を備えている。各天板付き什器１０の天板１２の後方側（競技観戦方向に向かっての後方側）には、天板１２を使用する使用者の進入スペースが確保され、その進入スペースに天板付き什器１０と組を成す椅子２０，２０が設置されている。
【００２２】
天板１２は、幅方向に横長に形成され、幅方向の中心線Ｃを挟んだ左右に二つの作業領域ＷＬ，ＷＲが設けられている。各作業領域ＷＬ，ＷＲの前端縁１４と後端縁１５は、それぞれ隣接する階段通路２に向かって設定角度（例えば、５°程度）後方側に傾斜している。具体的には、左側の作業領域ＷＬの前端縁１４と後端縁１５とは、左側に位置される階段通路２に向かって設定角度後方側に傾斜しており、右側の作業領域ＷＲの前端縁１４と後端縁１５とは、右側に位置される階段通路２に向かって設定角度後方側に傾斜している。
【００２３】
また、天板１２の階段通路２に臨む側端部１９（側部側の端面）は、階段通路２の延出方向と略平行に形成されている。つまり、天板１２の各側端部１９は、端面が階段通路２に沿うように形成されている。
【００２４】
幕板１３は、板厚方向が略前後方向を向くようにして、脚部材１１と天板１２の前端縁１４とに跨って取り付けられている。幕板１３は、幅方向の中心線Ｃの位置を前側に凸の稜線として左右両側が後方側に設定角度傾斜している。幕板１３のこの傾斜角度は、天板１２の左右の作業領域ＷＬ，ＷＲの前端縁１４の傾斜角度と合致する角度に設定されている。
【００２５】
また、幕板１３は、図３に示すように、天板１２の前部下方を覆う下方遮蔽領域１３ａと、天板１２の前面と天板１２の前部上方側を覆う上方遮蔽領域１３ｂ（天板１２よりも上方に延出する上方延長部）とを備えている。下方遮蔽領域１３ａの幅方向の寸法は、脚部材１１の幅方向の寸法とほぼ同寸法に設定され、上方遮蔽領域１３ｂの幅方向の寸法は、天板１２の幅方向の寸法とほぼ同寸法に設定されている。天板１２の幅方向の寸法は、脚部材１１の幅方向の寸法よりも大きく設定されている。幕板１３の上方遮蔽領域１３ｂの側端部は、下方遮蔽領域１３ａの側端部に対して隣接する階段通路２側に段差状に膨出している。
【００２６】
脚部材１１の階段通路２に臨む側面のうちの、幕板１３の下方遮蔽領域１３ａに対応する高さ位置には、階段通路２を移動する歩行者が把持可能な把持部材１６が取り付けられている。
【００２７】
幕板１３の上方遮蔽領域１３ｂの前面には、前方の椅子２０に着座した利用者の頭部を保護するための頭部保護部材１７が取り付けられている。
【００２８】
ところで、天板付き什器１０と組みを成す二つの椅子２０，２０は、その天板付き什器１０の設置される段床１の段よりも一段上の段の前部垂立面１ｂに支持されている。そして、後方側の組の天板付き什器１０と、前方側の組の二つの椅子２０，２０とは、後方側の天板付き什器１０が階段状の段床１の高位部に設置されるとともに、前方側の椅子２０，２０が段床１の高位部よりも低い低位部に設置されている。
【００２９】
一方、各椅子２０は、基端が段床１の前部垂立面１ｂに固定設置されて、その基端から前部上方側に向かって延出する一対の支持アーム２１，２１（脚部）と、後縁部が一対の支持アーム２１，２１に跳ね上げ回動可能に軸支される座２２と、下部側の左右両側部が一対の支持アーム２１，２１に支持される背凭れ２３と、を備えている。なお、背凭れ２３の上端部は、左右方向の中央位置において、後方側の天板付き什器１０の幕板１３の前面に係止固定されている。背凭れ２３の上端部の係止位置は、幕板１３の前面の頭部保護部材１７の直下位置に設定されている。
【００３０】
具体的には、背凭れ２３は、図５，図６に示すように、正面視が縦長の略矩形枠状の背凭れフレーム４０に、伸縮性（弾性）と通気性を有するメッシュ状の張材４１が張設されている。張材４１は、椅子２０に着座した利用者の背部が直接接触する背受け部材を構成している。
【００３１】
また、背凭れ２３は、支持アーム２１に支持される下端部から高さ方向の３分の１程度の高さ位置に向かって前方側に湾曲し、その湾曲部４２から上端側に向かって後方に傾斜した後に上方に垂立している。湾曲部４２は椅子２に着座する利用者の腰部に対応する箇所に設けられている。湾曲部４２の背面と後方側の天板付き什器１０の幕板１３の間には、後席側の利用者の足先が背凭れ２３に触れるのを回避するための足除け空間４３が確保されている。
【００３２】
背凭れ２３の上端部は、図６に示すように、後方側の天板付き什器１０の幕板１３の前面に取り付けられたブラケットに４４に背凭れフレーム４０の上端部の中央がリベット４５やビス止め等の固定手段によって固定されている。
【００３３】
座２２は、図４に示すように、左右の支持アーム２１，２１に保持された回動軸２４に軸支されている。各回動軸２４は、前方の天板付き什器１０の天板１２の作業領域ＷＬまたはＷＲの後端縁１５と平行になるように、つまり、隣接する階段通路２に向かって後方側に傾斜するように設置されている。そして、各回動軸２４に軸支される座２２は、幅方向が隣接する階段通路２に向かって後方側に傾斜している。また、下端が左右の支持アーム２１，２１に固定される背凭れ２３も、座２２と同様に幅方向が隣接する階段通路２に向かって後方側に傾斜している。
【００３４】
以上のように、階段通路２の両側に設置された天板付き什器１０と椅子２０，２０の組は以下のようにして使用される。
各天板付き什器１０の天板１２を利用する使用者は、階段通路２から使用する天板１２の作業領域ＷＬ，ＷＲの後方側に進入し、その作業領域ＷＬ，ＷＲの後方側の対応する椅子２０に着座する。
【００３５】
このとき、天板１２の作業領域ＷＬ，ＷＲの後端縁１５は、隣接する階段通路２に向かって後方側に傾斜し、対応する椅子２０，２０も、幅方向が同様に隣接する階段通路２に向かって後方側に傾斜している。このため、椅子２０に着座して天板１２上の作業領域ＷＬ，ＷＲに向かった使用者は、体全体が隣接する階段通路２の前方側に斜め向くことになる。したがって、一つの天板付き什器１０の天板１２を共用する左右の使用者は、両者の視線の向く方向が相反方向にずれ、隣接する使用者の存在を気にせずに作業領域ＷＬ，ＷＲに向かって快適に作業を行うことができる。
【００３６】
この実施形態に係る組み合わせ什器は、椅子２０の背凭れ２３の下部が、支持アーム２１，２１を介して段床１に支持されるとともに、背凭れ２３の上部が後方側の天板付き什器１０に取り付けられているため、仮に、後席側から背凭れ２３に荷重入力があっても背凭れ２３の上部側の振れを強固に抑制することができる。しかも、この組み合わせ什器の場合、背凭れ２３が後部の天板付き什器１０とは別に支持アーム２１，２１を介して段床１に設置されているため、背凭れ２３を後部の天板付き什器１０に吊り下げ支持させる構造を採用する場合と異なり、背凭れ２３の着座感やデザイン性を主眼とした設計の自由度を高めることができる。
【００３７】
また、この実施形態に係る組み合わせ什器においては、後方側の天板付き什器１０が段床１の高位部に設置され、前方側の椅子２０が段床１の低位部に設置されているため、図７に示すように、後席の椅子２０に着座した利用者の足先を前方側に振り上げたときの高さが前方の椅子２０の背凭れ２３の湾曲部４２に対応する高さとなる。しかし、この実施形態の組み合わせ什器では、前席の椅子２０の湾曲部４２によって背凭れ２３と後方側の天板付き什器１０の間に足除け空間４３が確保されているため、後席に着座した利用者の足先が背凭れ２３に接触する可能性がより低くなる。
【００３８】
さらに、実施形態に係る組み合わせ什器においては、椅子２０の背凭れ２３の下部側の左右両端部が支持アーム２１，２１を介して段床１に支持されるとともに、上部側の左右方向の略中央部が後方側の天板付き什器１０に固定されているため、背凭れ２３を上下と左右でバランス良く固定構造物に支持させることができる。このため、後席側から背凭れ２３に仮に荷重の入力があっても、その荷重をバランス良く分散させることができる。
【００３９】
また、この実施形態に係る組み合わせ什器の場合、天板付き什器１０には天板１２の前部下方を覆う幕板１３が取り付けられているため、前席の背凭れの上部を幕板１３の広い面で安定的に支持することができるとともに、後席に着座した利用者の足先が背凭れ２３に接触するのを幕板１３によって物理的に遮断することができる。
【００４０】
さらに、この実施形態の場合、背凭れ２３には、弾性を有する張材４１が設けられているため、背凭れ２３に後方から荷重が入力されることがあっても、その荷重入力に伴う衝撃を張材４１によって吸収して着座者に伝達されにくくすることができる。
【００４１】
また、この実施形態の場合、背凭れ２３に通気性を有するメッシュ状の張材４１が用いられているため、椅子２０に着座した利用者の腰部及び背部に、背凭れ２３の湾曲部４２と後方の天板付き什器１０の間の足除け空間４３から張材４１を通して空気が良好に流通する。したがって、この構成により、室内の空調の効率化を図ることができるとともに、椅子２０に着座した利用者の腰部及び背部の蒸れを防止することができる。
【００４２】
なお、この発明は上記の実施形態に限定されるものではなく、その要旨を逸脱しない範囲で種々の設計変更が可能である。例えば、上記の実施形態の天板付き什器と椅子は、天板と幕板の前端面と、椅子の幅方向とが階段通路に向かって後方側に傾斜しているが、天板と幕板の前端面と、椅子の幅方向とは、傾斜せずに前方に正対する構造であっても良い。
また、上記の実施形態においては、椅子２０が一対の支持アーム２１，２１を介してフロア部の前部垂立面１ｂに固定設置されているが、椅子２０は、フロア部の水平面に立設された脚柱によってフロア部に固定設置されるようにしても良い。さらに、上記の実施形態においては、椅子２０の背凭れ２３の上部のみが天板付き什器１０の幕板１３の前面に固定されているが、背凭れ２３はさらに上部以外の部位でも幕板１３に固定するようにしても良い。
【符号の説明】
【００４３】
１  段床
１０  天板付き什器
１１  脚部材
１２  天板
１３  幕板
２０  椅子
２１  支持アーム（脚部）
２３  背凭れ
４１  張材（背受け部材）
４２  湾曲部
４３  足除け空間
【図１】
2015229079.tif 000003
【図２】
2015229079.tif 000004
【図３】
2015229079.tif 000005
【図４】
2015229079.tif 000006
【図５】
2015229079.tif 000007
【図６】
2015229079.tif 000008
【図７】
2015229079.tif 000009